(57)【特許請求の範囲】
【請求項１】
画像を表示する表示部と前記表示部の外周を囲む枠部とを備えた表示装置であって、
前記枠部の外周面には、前記外周面より前記表示部に向け窪む取付部が形成されており、
前記取付部に着脱可能な位置決め部材を有し、
前記位置決め部材を第一の向きで前記取付部に装着すると前記外周面より前記表示部に向け窪む凹部が形成され、第二の向きで前記取付部に装着すると前記外周面より前記表示部とは反対側に向け突出する凸部が形成されることを特徴とする表示装置。
【請求項２】
請求項１に記載の表示装置であって、
前記位置決め部材には、前記取付部に対し着脱する方向の一端部に前記凹部が形成されるとともに、他端部に前記凸部が形成されることを特徴とする表示装置。
【請求項３】
請求項１又は請求項２に記載の表示装置であって、
前記枠部の前記外周面は、前記表示部に対して垂直な方向に第１の端部と、前記第１の端部とは異なる第２の端部と、を有し、
前記凹部及び前記凸部が、前記枠部の前記外周面に、前記第１の端部と前記第２の端部のそれぞれに対して間隙を有するように配置されていることを特徴とする表示装置。
【請求項４】
請求項１ないし請求項３のいずれか一項に記載の表示装置であって、
前記凹部は円柱穴状であり、前記凸部は円柱状であることを特徴とする表示装置。
【請求項５】
請求項１ないし請求項４のいずれか一項に記載の表示装置であって、
前記位置決め部材が、螺合により前記取付部に着脱されることを特徴とする表示装置。
【請求項６】
請求項１ないし請求項５のいずれか一項に記載の表示装置を複数用い、夫々の前記表示装置の前記枠部同士を互いに近接させてなる多画面表示装置であって、
互いに近接する前記表示装置の夫々の前記凹部と前記凸部とが互いに嵌合する構成とされることを特徴とする多画面表示装置。
【発明の詳細な説明】
【技術分野】
【０００１】
本発明は、表示装置、及び複数の表示装置を互いに連結して画像を表示する多画面表示装置に関する。
【背景技術】
【０００２】
近年、表示装置において、軽量化、薄型化及び画面サイズの大型化等が要求されている。その要求を満たす１つの手段として、複数の表示装置を組み合わせ電気的に接続して、多画面表示または大画面表示を行う多画面表示装置がある。この種の多画面表示装置は、連結される個々の表示装置の数を増減させることにより、全体としての画面サイズを容易に調節することができる。そのため、企業のショールーム等に常設される場合だけでなく、イベント会場などにおいて一時的に設置される場合にも利用される。すなわち、イベント会場等において商品紹介やその他の情報提供を行うために、イベント期間中に設置され、そしてイベント終了とともに撤去される。
これら個々の表示装置の背面には、取り付け用の金具等が設置されており、組み立て用の架台にそれぞれの表示装置を近接させて取り付け固定し、多画面表示装置として設営される。
【０００３】
このような多画面表示装置においては、装置全体で一つの画像を表示することが多く、画像の表示品質を確保するため、設営時には個々の表示装置を互いに精度よく位置決めする必要がある。例えば、特許文献１に開示されるマルチビジョン装置では、個々の単位スクリーン（表示装置）同士の位置決め用としてスクリーンフレームに目印を設け、この印に合うように各単位スクリーンを配置して、調整ネジで支持することとしている。
【先行技術文献】
【特許文献】
【０００４】
【特許文献１】特開平７−２０９７５６号公報
【発明の概要】
【発明が解決しようとする課題】
【０００５】
しかしながら、一般に上述したような多画面表示装置では、個々の表示装置同士の互いの位置決めが、隣り合う表示装置の外周部分（枠部）の端面同士を上下・左右・前後方向に夫々合わせるように行われるので、調整作業が難しく、作業者に熟練を要した。また、各表示装置の架台への固定は、位置決めに用いられる枠部から装置の奥行き方向に離間した位置でネジ止め等により行われるので、取り付けの作業性が悪く、固定に長時間を要した。
また、多画面表示装置の設置後には、表示装置の自重等に起因してネジ固定が緩むなどして、経年変化で表示装置同士の相対位置がずれてしまうことがあった。
【０００６】
また、特許文献１のマルチビジョン装置においては、単位スクリーン同士の位置決め用としてスクリーンフレームに目印を設けてはいるものの、未だ調整作業が十分に簡便であるとは言えなかった。
【０００７】
本発明は、上述した事情に鑑みてなされたものであって、隣り合う表示装置同士の相対的な位置決めが簡便に短時間で精度よく行え、設置作業に熟練を必要とせず、経年変化による位置ずれを防止することができる表示装置、及び多画面表示装置を提供することを目的とする。
【課題を解決するための手段】
【０００８】
前記目的を達成するために、本発明は以下の手段を提案している。
すなわち本発明は、画像を表示する表示部と前記表示部の外周を囲む枠部とを備えた表示装置であって、前記枠部の外周面には、前記外周面より前記表示部に向け窪む取付部が形成されており、前記取付部に着脱可能な位置決め部材を有し、前記位置決め部材を第一の向きで前記取付部に装着すると前記外周面より前記表示部に向け窪む凹部が形成され、第二の向きで前記取付部に装着すると前記外周面より前記表示部とは反対側に向け突出する凸部が形成されることを特徴とする。
また本発明は、前述した表示装置を複数用い、夫々の前記表示装置の前記枠部同士を互いに近接させてなる多画面表示装置であって、互いに近接する前記表示装置の夫々の前記凹部と前記凸部とが互いに嵌合する構成とされることを特徴とする。
【０００９】
本発明に係る表示装置、及び多画面表示装置によれば、複数の表示装置の夫々の枠部の外周面には、この外周面より表示部に向け窪む凹部と、この外周面より表示部とは反対側に向け突出する凸部とが設けられているので、多画面表示装置を設営する際、隣接する各表示装置の夫々の凹部と凸部とを互いに嵌合させることで、表示装置同士の上下・左右・前後方向の相対的な位置決めが簡便に精度よく行える。従って、設置作業に熟練を必要とせず、作業が短時間で行える。また、各表示装置の凹部と凸部とが互いに嵌合した状態で設置されるので、経年変化等によって表示装置同士の位置ずれが生じる虞がない。
【００１１】
また、枠部には、外周面より窪む取付部が形成され、この取付部に着脱可能な位置決め部材が設けられている。位置決め部材には、予め凹部又は／及び凸部が形成されており、この位置決め部材を取付部に装着することで、枠部の外周面に凹部又は凸部が形成されるようになっている。従って、各表示装置の外周面に、種々の目的・用途に合わせ凹部又は凸部を自由に選択し形成することができる。よって種々様々な設置の要望に対応可能である。また、表示装置の搬送時には、凸部を備える位置決め部材を予め表示装置から取り外しておくことができるので、該凸部が他の部材等に接触することで破損するようなことが防止される。
【００１２】
また、本発明に係る表示装置において、前記位置決め部材には、前記取付部に対し着脱する方向の一端部に前記凹部が形成されるとともに、他端部に前記凸部が形成されることとしてもよい。
【００１３】
本発明に係る表示装置によれば、位置決め部材には、取付部に対し着脱する方向の一端部に凹部が形成されるとともに、他端部に凸部が形成されている。すなわち、この位置決め部材の一端部を外方（表示部とは反対側）に向け取付部に装着するか又は他端部を外方に向け取付部に装着するかを選択することで、枠部の外周面に凹部を形成するか凸部を形成するかを種々に設定できる。従って、位置決め部材として凹部用と凸部用の２種類の部材を用意するような必要がなく、部材共通化が可能である。
また、本発明に係る表示装置において、前記枠部の前記外周面は、前記表示部に対して垂直な方向に第１の端部と、前記第１の端部とは異なる第２の端部と、を有し、前記凹部及び前記凸部が、前記枠部の前記外周面に、前記第１の端部と前記第２の端部のそれぞれに対して間隙を有するように配置されていることとしてもよい。
また、本発明に係る表示装置において、前記凹部は円柱穴状であり、前記凸部は円柱状であることとしてもよい。
【００１４】
また、本発明に係る表示装置において、前記位置決め部材が、螺合により前記取付部に着脱されることとしてもよい。
本発明に係る表示装置によれば、位置決め部材が螺合により取付部に着脱されるので、枠部の外周面に凹部又は凸部を簡便に形成でき、着脱作業が容易に行える。
【発明の効果】
【００１５】
本発明に係る表示装置、及び多画面表示装置によれば、隣り合う表示装置同士の上下・左右・前後方向夫々の相対的な位置決めが簡便に短時間で精度よく行えるので、設置作業に熟練を必要としない。また設置後、表示装置の自重等に起因して、経年変化で表示装置同士の相対位置がずれてしまうようなことが防止されているので、長期に亘り安定してこれら表示装置同士の相対的な位置精度が確保される。
【図面の簡単な説明】
【００１６】
【図１】本発明の一実施形態に係る多画面表示装置の概略構成を示す正面図である。
【図２】本発明の一実施形態に係る多画面表示装置の概略構成を示す側面図である。
【図３】本発明の一実施形態に係る多画面表示装置の概略構成を示す背面図である。
【図４】本発明の一実施形態に係る多画面表示装置を構成する表示装置を示す正面図である。
【図５】本発明の一実施形態に係る多画面表示装置を構成する表示装置を示す側面図である。
【図６】本発明の一実施形態に係る多画面表示装置を構成する表示装置を示す平面図である。
【図７】図４のＡ部を拡大して示す部分正断面図である。
【図８】図４のＢ部を拡大して示す部分正断面図である。
【図９】本発明の一実施形態に係る多画面表示装置に用いる位置決め部材を示す平面図である。
【図１０】本発明の一実施形態に係る多画面表示装置に用いる位置決め部材を示す側面図である。
【図１１】本発明の一実施形態に係る多画面表示装置を設営する手順を説明する図である。
【発明を実施するための形態】
【００１７】
以下、図面を参照し、この発明の実施の形態について説明する。
図１は本発明の一実施形態に係る多画面表示装置の概略構成を示す正面図、図２は本発明の一実施形態に係る多画面表示装置の概略構成を示す側面図、図３は本発明の一実施形態に係る多画面表示装置の概略構成を示す背面図、図４は本発明の一実施形態に係る多画面表示装置を構成する表示装置を示す正面図、図５は本発明の一実施形態に係る多画面表示装置を構成する表示装置を示す側面図、図６は本発明の一実施形態に係る多画面表示装置を構成する表示装置を示す平面図、図７は図４のＡ部を拡大して示す部分正断面図、図８は図４のＢ部を拡大して示す部分正断面図、図９は本発明の一実施形態に係る多画面表示装置に用いる位置決め部材を示す平面図、図１０は本発明の一実施形態に係る多画面表示装置に用いる位置決め部材を示す側面図、図１１は本発明の一実施形態に係る多画面表示装置を設営する手順を説明する図である。
【００１８】
図１乃至図３に示すように、本実施形態に係るマルチディスプレイ（多画面表示装置）１は、複数のディスプレイ（表示装置）１０を上下方向に配列して構成されている。
夫々のディスプレイ１０は、文字、図形や動画、静止画などの画像を表示する略矩形状の表示部１１を有しており、例えば、液晶やプラズマなどからなる。また図示しないが、夫々のディスプレイ１０同士は互いに電気的に接続されて、装置全体で一つの画像を表示できるようにされている。
【００１９】
また、表示部１１の外周全体を囲むように、略矩形環状若しくは略矩形枠状の枠部１２が設けられている。また、表示部１１の背面側（図２における右側）には、表示部１１の背面全体を覆うように本体部１３が設けられている。本体部１３の背面には、略矩形箱状の固定用パネル１４が固定ネジ１５で取り付けられている。
【００２０】
また、夫々のディスプレイ１０の固定用パネル１４は、略梯子状の組み立て用架台２に固定ネジ１６で取り付けられている。このように夫々の固定用パネル１４が組み立て用架台２に取り付けられることで、夫々のディスプレイ１０が連結されている。
【００２１】
ここで、図１乃至図３に示すマルチディスプレイ１では、２つのディスプレイ１０を上下方向に並べて配列しているが、それ以外の構成として、例えば４つのディスプレイ１０を用い、上下・左右方向に夫々２列ずつ配列してマルチディスプレイ１を形成したり、９つのディスプレイ１０を用い、上下・左右方向に夫々３列ずつ配列してマルチディスプレイ１を形成したりしても構わない。
【００２２】
また、図４乃至図６に示すように、マルチディスプレイ１を構成する夫々のディスプレイ１０の枠部１２には、表示部１１側の反対側（以下「外方」とする）を向く上下左右の夫々の外周面１２ａに複数の凹部２１及び凸部２２が形成されている。すなわち、凹部２１は、外周面１２ａより表示部１１側（以下「内方」とする）に向け窪む略円柱穴状に形成されており、凸部２２は、外周面１２ａより外方に向け突出する略円柱状に形成されている。
【００２３】
また、凹部２１の内径は、凸部２２の外径と略同一寸法若しくは凸部２２の外径より僅かに大きく設定される。また、凹部２１が外周面１２ａより内方に窪む深さは、凸部２２が外周面１２ａより外方に突出する高さより僅かに大きく設定される。
すなわち、凹部２１と凸部２２とは、互いに嵌合可能とされるとともに、嵌合された状態で、夫々の配置される外周面１２ａ同士を当接可能とされている。
また、これら凹部２１及び凸部２２は、枠部１２の四隅の角部近傍に配置されている。
【００２４】
また、図７、図８に示すように、枠部１２の四隅の角部近傍には、夫々の外周面１２ａより内方に窪む略多段円柱穴状の取付部１７が形成されている。取付部１７は、外周面１２ａに開口する外方側の部分が大径部１７ａとされており、大径部１７ａの内周には雌ネジ加工が施されている。また、取付部１７の大径部１７ａの内方には、大径部１７ａより縮径して形成された小径部１７ｂが設けられる。小径部１７ｂの内径は、凸部２２の外径より僅かに大きく設定される。
【００２５】
また、夫々の取付部１７には、凹部２１及び凸部２２を有する略多段円柱状の位置決め部材２０が取り付けられている。位置決め部材２０には、枠部１２の取付部１７に対し着脱する軸線方向の一端部に凹部２１が形成されるとともに、他端部に凸部２２が形成されている。すなわち、図９、図１０に示すように、位置決め部材２０は、その軸線方向の他端側（図１０における上側）の部分が小径に形成されて前述の凸部２２とされている。また、凸部２２の他端側を向く面の略中央には、略十字穴状のネジ頭穴２３が形成されている。
【００２６】
また、位置決め部材２０の軸線方向の一端側（図１０における下側）の部分は、凸部２２より拡径した大径部２０ａとされており、大径部２０ａの外周には雄ネジ加工が施されている。また、位置決め部材２０の大径部２０ａの径方向内方には、一端側を向く面に開口する略円柱穴状の窪み部分が形成されており、この窪み部分が前述の凹部２１とされている。また、凹部２１の底面の略中央には、ネジ頭穴２４が形成されている。
【００２７】
枠部１２の外周面１２ａに設けられる凸部２２及び凹部２１は、位置決め部材２０を取付部１７に装着することで形成される。すなわち、図７に示すように、外周面１２ａに凸部２２を形成する際は、位置決め部材２０の凸部２２を枠部１２の外方に向けた状態で、該位置決め部材２０の大径部２０ａと取付部１７の大径部１７ａとを螺合させ、ネジ頭穴２３にドライバー等を挿入し位置決め部材２０を回転し締め込めばよい。また、位置決め部材２０を取付部１７から取り外す際は、前述の回転とは逆方向に位置決め部材２０を回転させればよい。
【００２８】
また、図８に示すように、外周面１２ａに凹部２１を形成する際は、位置決め部材２０の凹部２１を枠部１２の外方に向けた状態で、該位置決め部材２０の大径部２０ａと取付部１７の大径部１７ａとを螺合させ、ネジ頭穴２４にドライバー等を挿入し位置決め部材２０を回転し締め込めばよい。また、位置決め部材２０を取付部１７から取り外す際は、前述の回転とは逆回転に位置決め部材２０を回転させればよい。
【００２９】
次いで、複数のディスプレイ１０を用いて配列しマルチディスプレイ１を設営する手順について説明する。
図１１は、マルチディスプレイ１の一例として、４つのディスプレイ１０（１０Ａ〜１０Ｄ）を用い、これらディスプレイ１０を上下・左右方向に各２列に配列し設営する手順を示している。
【００３０】
まず、図１１（ａ）に示すように、各ディスプレイ１０の枠部１２の夫々の外周面１２ａに位置決め部材２０を装着して、凹部２１と凸部２２とを形成する。詳しくは、図１１（ａ）において、左上に配置されるディスプレイ１０Ａの右方及び下方の夫々の外周面１２ａの両端近傍に凹部２１を夫々設ける。また、左下に配置されるディスプレイ１０Ｂの上方の外周面１２ａの両端近傍に凸部２２を夫々設け、右方の外周面１２ａの両端近傍に凹部２１を夫々設ける。また、右上に配置されるディスプレイ１０Ｃの左方の外周面１２ａの両端近傍に凸部２２を夫々設け、下方の外周面１２ａの両端近傍に凹部２１を夫々設ける。また、右下に配置されるディスプレイ１０Ｄの上方及び左方の夫々の外周面１２ａの両端近傍に凸部２２を夫々設ける。
【００３１】
次いで、図１１（ｂ）に示すように、互いに上下方向に配置されたディスプレイ１０Ａ及び１０Ｂ、ディスプレイ１０Ｃ及び１０Ｄを夫々接続する。詳しくは、ディスプレイ１０Ａの下方の外周面１２ａの２つの凹部２１と、ディスプレイ１０Ｂの上方の外周面１２ａの２つの凸部２２とを嵌め合わせて、ディスプレイ１０Ａ及び１０Ｂを接続する。
【００３２】
また、ディスプレイ１０Ｃの下方の外周面１２ａの２つの凹部２１と、ディスプレイ１０Ｄの上方の外周面１２ａの２つの凸部２２とを嵌め合わせて、ディスプレイ１０Ｃ及び１０Ｄを接続する。この状態で、ディスプレイ１０Ａ及び１０Ｂをこれらディスプレイ１０Ａ，１０Ｂの背面に設置された組み立て用架台２に固定し、ディスプレイ１０Ｃ及び１０Ｄをこれらディスプレイ１０Ｃ，１０Ｄの背面に設置された組み立て用架台２に固定する。
【００３３】
次いで、図１１（ｃ）に示すように、互いに左右方向に配置されたディスプレイ１０Ａ及び１０Ｃ、ディスプレイ１０Ｂ及び１０Ｄを夫々接続する。詳しくは、ディスプレイ１０Ａの右方の外周面１２ａの２つの凹部２１と、ディスプレイ１０Ｃの左方の外周面１２ａの２つの凸部２２とを嵌め合わせて、ディスプレイ１０Ａ及び１０Ｃを接続するとともに、ディスプレイ１０Ｂの右方の外周面１２ａの２つの凹部２１と、ディスプレイ１０Ｄの左方の外周面１２ａの２つの凸部２２とを嵌め合わせて、ディスプレイ１０Ｂ及び１０Ｄを接続する。この状態で、ディスプレイ１０Ａ，１０Ｂを固定する組み立て用架台２と、ディスプレイ１０Ｃ，１０Ｄを固定する組み立て用架台２とを連結する。
【００３４】
このように４つのディスプレイ１０を接続することで、夫々の枠部１２の前面が面一とされ、多画面を有するマルチディスプレイ１が形成される。マルチディスプレイ１を構成する各ディスプレイ１０は、互いに電気的に接続されるとともにＰＣ等の制御手段（不図示）に連結され、同期して全体で一つ又は複数の画像を表示する。また、マルチディスプレイ１の外周面に形成される夫々の取付部１７は、シール等の貼着部材やキャップを用いて封止しておくことが好ましい。
【００３５】
以上説明したように、本実施形態のマルチディスプレイ１によれば、複数のディスプレイ１０の夫々の枠部１２の外周面１２ａには、この外周面１２ａより表示部１１側に向け窪む凹部２１と、この外周面１２ａより表示部１１側の反対側に向け突出する凸部２２とが設けられているので、マルチディスプレイ１を設営する際、隣接する各ディスプレイ１０の夫々の凹部２１と凸部２２とを互いに嵌合させることで、ディスプレイ１０同士の上下・左右・前後方向の相対的な位置決めが簡便に精度よく行える。
【００３６】
従って、設置作業に熟練を必要とせず、作業が短時間で行える。また、各ディスプレイ１０の凹部２１と凸部２２とが互いに嵌合した状態で設置されるので、経年変化等によってディスプレイ１０同士の位置ずれが生じる虞がない。
【００３７】
また、枠部１２には、外周面１２ａより窪む取付部１７が形成され、この取付部１７に着脱可能な位置決め部材２０が設けられている。そして、位置決め部材２０には、取付部１７に対し着脱する方向（軸線方向）の一端部に凹部２１が形成されるとともに、他端部に凸部２２が形成されている。すなわち、この位置決め部材２０の一端部を外方に向け取付部１７に装着するか、又は、他端部を外方に向け取付部１７に装着するかを選択することで、枠部１２の外周面１２ａに凹部２１を形成するか凸部２２を形成するかを種々に設定できる。
【００３８】
従って、各ディスプレイ１０の外周面１２ａに、種々の目的・用途に合わせ凹部２１又は凸部２２を自由に選択し形成することができる。よって種々様々な設置の要望に対応可能である。また、位置決め部材２０として凹部用と凸部用の２種類の部材を用意するような必要がなく、部材共通化が可能である。
【００３９】
また、ディスプレイ１０の搬送時には、枠部１２の外周面１２ａに凸部２２を形成する位置決め部材２０を予め該ディスプレイ１０から取り外しておくことができるので、該凸部２２が他の部材等に接触することで破損するようなことが防止される。
ここで、ディスプレイ１０の搬送時に、位置決め部材２０を全て外周面１２ａに凹部２１を形成するように装着しておくこととすれば、位置決め部材２０の紛失を防止することもできるためより好ましい。
【００４０】
また、位置決め部材２０が螺合により取付部１７に着脱されるので、枠部１２の外周面１２ａに凹部２１又は凸部２２を簡便に形成でき、着脱作業が容易に行える。
また、凹部２１又は凸部２２が、枠部１２の外周面１２ａの両端近傍に夫々配置されるので、より精度よくディスプレイ１０同士を位置決めでき、また外力等に起因したディスプレイ１０同士の相対的な位置ずれが生じにくい。
【００４１】
尚、本発明は前述の実施形態に限定されるものではなく、本発明の趣旨を逸脱しない範囲において種々の変更を加えることが可能である。
例えば、本実施形態では、各ディスプレイ１０の外周面１２ａに取付部１７が夫々形成され、この取付部１７に位置決め部材２０を装着することで凹部２１又は凸部２２を形成することとして説明したが、本発明とは技術思想が異なる参考例としては、外周面１２ａに一体に凹部２１と凸部２２とを形成することとしてもよい。
【００４２】
また、本実施形態では、位置決め部材２０に凹部２１及び凸部２２が背向するように一体に形成されることとして説明したが、参考例としては、例えば位置決め部材２０を２種類用意し、夫々の位置決め部材２０に凹部２１又は凸部２２のいずれか一方が形成されることとしても構わない。
【００４３】
また、本実施形態では、凹部２１を略円柱穴状に形成し、略円柱状の凸部２２を嵌合することとして説明したが、凹部２１と凸部２２は互いの外周面１２ａ同士を当接して嵌合できればよく、それ以外の形状であっても構わない。すなわち、例えば凹部２１を略角柱穴状に形成するとともに、凸部２２を略角柱状に形成し、これら凹部２１と凸部２２を嵌合することとしても構わない。
【００４４】
また、本実施形態では、位置決め部材２０が、枠部１２の取付部１７に螺合により装着されることとして説明したが、これに限らず、例えばそれ以外の接着や嵌め合い等による装着であっても構わない。
【符号の説明】
【００４５】
１  マルチディスプレイ（多画面表示装置）
１０  ディスプレイ（表示装置）
１１  表示部
１２  枠部
１２ａ  外周面
１７  取付部
２０  位置決め部材
２１  凹部
２２  凸部
【図１】
0005473037.tif 000002
【図２】
0005473037.tif 000003
【図３】
0005473037.tif 000004
【図４】
0005473037.tif 000005
【図５】
0005473037.tif 000006
【図６】
0005473037.tif 000007
【図７】
0005473037.tif 000008
【図８】
0005473037.tif 000009
【図９】
0005473037.tif 000010
【図１０】
0005473037.tif 000011
【図１１】
0005473037.tif 000012